(57)【特許請求の範囲】
【請求項１】
少なくとも、ナットの素材に下穴を加工する工程と、
前記下穴にナット加工用切削工具を相対回転させて挿入し前記ナットの内周面にねじを加工する工程と、
前記ねじが加工された前記内周面を硬化処理する工程と、を具備し、
前記ナットの素材は、アルミニウムであり、
前記ナット加工用切削工具は、円柱状の切削部の外周面に断面円弧状で螺旋状に延在し底部の径が前記下穴の径よりも大きい凹溝を有し、前記凹溝に挟まれる部分の前記外周面が前記ナット加工用切削工具の縦断面において前記ナット加工用切削工具の軸に対して平行な直線状であり、
前記ねじを加工する工程では、前記凹溝によって断面円弧状で螺旋状に延在する前記ねじの山部を切削成形し、前記凹溝に挟まれる部分の前記外周面によって前記縦断面において前記軸に対して平行且つ直線状となる前記ねじの谷部を切削成形し、
前記硬化処理する工程では、前記内周面に陽極酸化被膜を形成することを特徴とする滑りねじ装置のナット加工方法。
【発明の詳細な説明】
【技術分野】
【０００１】
本発明は、滑りねじ装置のナットに雌ねじを加工するナット加工用切削工具、及び滑りねじ装置のナット加工方法に関する。
【背景技術】
【０００２】
従来、回転運動を直線運動に変換して伝達する装置として、ねじ軸に樹脂製のナットを螺合させた滑りねじ装置が知られている（例えば、特許文献１）。この種の滑りねじ装置で用いられる樹脂製ナットでは、ナット全体またはねじ部のみが射出成形金型を用いた射出成形によって成形されている。【０００３】
また、回転運動を直線運動に変換して伝達する別の装置として、ねじ軸とナットとの間にボールを介在させたボールねじ装置が知られている（例えば、特許文献２）。特許文献２に記載されたボールねじ装置用ナットの加工方法では、ねじ溝を旋削によって前加工した後、仕上げ加工としてラップ加工を行っている。
【先行技術文献】
【特許文献】
【０００４】
【特許文献１】特許第４２２６２４９号公報（第４頁、第１図）
【特許文献２】特許第２６００４２５号公報（第３−４頁、第１図）
【発明の概要】
【発明が解決しようとする課題】
【０００５】
滑りねじ装置は、ボールねじ装置に比べると構成部品が少なく構造がシンプルであるという利点を有する。しかしながら、特許文献１に記載された従来技術のように、樹脂製のナットを採用した滑りねじ装置では、高速度で大きな伝達動力を発揮することが難しかった。【０００６】
即ち、一般に、樹脂材料の機械的強度は金属材料に比べると劣るため、樹脂製ナットは、金属製ナットに比べると、ねじ部の強度が低く、大きな荷重を伝達する用途には適していなかった。【０００７】
また、樹脂材料は金属材料に比べると熱伝導率が低いので、樹脂製ナットは、放熱性が悪く、熱による影響を受けやすいという問題点があった。具体的には、滑りねじ装置を高速度で駆動すると、ねじ部の滑り摩擦による発熱により樹脂製ナット及びねじ軸が膨張し、線膨張係数の相違によりクリアランスが減少して摩擦抵抗が増大してしまう。【０００８】
また、樹脂材料は金属材料に比べると耐熱性が劣るので、ねじ部の摩擦発熱によって樹脂材料自体が劣化する恐れがある。加えて、使用する樹脂材料によっては、耐候性や吸水性等についても留意すべきであり、材料の経年的な劣化も問題となる。【０００９】
他方、特許文献２に記載された従来技術のボールねじ装置では、ねじ軸及びナットの他にボールを有するので、部品点数が多く、構造が複雑になり、製造コストを下げることが難しいという問題点がある。【００１０】
また更に、滑りねじ装置において、樹脂製のナットに代えて金属製のナットを採用する場合には、ナットの加工、特に、ナット内周面の雌ねじ加工が困難であるという問題点があった。【００１１】
具体的には、高精度且つ高効率な滑りねじ装置を実現するためには、ねじ部の加工を高精度に行うことが要求されるので、特許文献２に記載された従来技術のように、ナットねじ部の加工では、旋削加工の後に、研削仕上げ加工が必要であった。【００１２】
また更に、従来、一般的に、締結用途の雌ねじを加工する工具として、タップが用いられている。しかしながら、従来技術のタップは、雌ねじの谷部を切削するものであり、雌ねじの山部を先端（内径側端部）まで高精度に切削することは不可能であった。そのため、滑りねじ装置に用いられるナットのように、雌ねじの山部を先端まで含めて全体的に所定の形状に高精度に成形することを要求される用途では、従来技術のタップを使用することができなかった。【００１３】
また、従来技術のタップは、ピッチが小さく送りが小さい締結用の一般的な雌ねじ加工に適したものであった。そのため、滑りねじ装置のナットのように送りが大きい雌ねじ、即ちピッチが大きい多条の雌ねじを加工する際には、切削抵抗や工具の強度の面から、従来技術のタップを使用することは難しかった。【００１４】
本発明は、上記の事情に鑑みてなされたものであり、その目的とするところは、滑りねじ装置のナットの内周面に高精度、高強度且つ低コストに雌ねじを加工することができるナット加工用切削工具を提供することにある。
また、本発明の他の目的は、強度が高く高精度で低抵抗な滑りねじ装置用のナットを効率良く生産することができるナット加工方法を提供することにある。
【課題を解決するための手段】
【００１６】
本発明の滑りねじ装置のナット加工方法は、少なくとも、ナットの素材に下穴を加工する工程と、前記下穴にナット加工用切削工具を相対回転させて挿入しナットの内周面にねじを加工する工程と、前記ねじが加工された前記内周面を硬化処理する工程と、を具備し、前記ナットの素材は、アルミニウムであり、前記ナット加工用切削工具は、円柱状の切削部の外周面に断面円弧状で螺旋状に延在し底部の径が前記下穴の径よりも大きい凹溝を有し、前記凹溝に挟まれる部分の前記外周面が前記ナット加工用切削工具の縦断面において前記ナット加工用切削工具の軸に対して平行な直線状であり、前記ねじを加工する工程では、前記凹溝によって断面円弧状で螺旋状に延在する前記ねじの山部を切削成形し、前記凹溝に挟まれる部分の前記外周面によって前記縦断面において前記軸に対して平行且つ直線状となる前記ねじの谷部を切削成形し、前記硬化処理する工程では、前記内周面に陽極酸化被膜を形成することを特徴とする。
【発明の効果】
【００１７】
本発明の滑りねじ装置のナット加工用切削工具は、円柱状の切削部と、該切削部の外周面に螺旋状に形成された凹溝と、を有し、前記凹溝は、前記ナットの内周面に該凹溝の形状に対応する前記ねじの山部を切削成形する。そのため、本発明のナット加工用切削工具及びナット加工方法によれば、滑りねじ装置のナットの内周面に高精度、高強度且つ低コストに雌ねじを加工することができる。【００１８】
即ち、本発明のナット加工用切削工具を用いれば、金属製のナットであっても、容易且つ高精度に雌ねじを加工することができる。そのため、滑りねじ装置のナット材料として、樹脂材料に比べ高強度である金属材料を採用することが可能となり、強度及び耐久性に優れたナットを提供することができる。【００１９】
また、本発明のナット加工用切削工具を用いることにより、所定条件の切削工程を一回実施するのみで、前記凹溝の形状に対応した高精度なねじ山を形成できる。即ち、一回の切削加工で、前記凹溝と略同一形状の雌ねじの山部をその先端部（内径側端部）まで高精度に加工することができる。それにより、ねじ切削加工の工程数を削減できると共に、ねじ仕上げの研削工程を省略でき、ナットの生産コストを低減することができる。【００２０】
また、高精度且つ滑らかなナットねじ山を形成できるので、滑りねじ装置の正確な位置制御を可能にすると共に、滑り抵抗を減らして摩擦損失を低減することができる。【００２１】
また、前記凹溝の形状を断面円弧状にすることにより、滑りねじ装置のナットに断面円弧状のねじ山部を形成することができる。これにより、ナットとねじ軸との相対位置を正確に維持しつつ、ナットのねじ山部とねじ軸のねじ山（谷）部との接触面積を減らすことができ、滑りねじ装置の滑り抵抗を減らすことができる。【００２２】
また、前記凹溝の形状を断面円弧状にすることにより、ボールねじ装置のねじ軸と共通のねじ軸を用いることが可能となる。これにより、ボールねじ装置と部品の共通化を図り、滑りねじ装置の生産コストを下げることができる。また、ねじ装置を使用するユーザは、目的とする用途の負荷状態に応じて、滑りねじ装置またはボールねじ装置を適宜選定することができるようになる。【００２３】
また更に、ナットに形成される下穴の径を前記凹溝の底部の径よりも小さくすることにより、ナット内周面に形成されるねじの山部は、その内径側先端部まで高精度に形成されるようになる。つまり、本発明に係るナット加工用切削工具の前記凹溝は、ナットの内周面に該凹溝の形状に対応する雌ねじの山部を切削することができよう構成されているので、下穴の径を好適に調整することにより、高精度な雌ねじの山部を確実に加工することができる。【００２４】
また更に、前記切削部の外周面に切屑を排出するための排出溝を設け、該排出溝を前記凹溝とは逆向きの螺旋状に形成しても良い。これにより、ナット加工用切削工具の切削性が向上し、高精度な雌ねじを更に容易に切削加工することができる。
【図面の簡単な説明】
【００２５】
【図１】図１は、本発明の実施形態に係る滑りねじ装置の概略構成を示す透視図である。
【図２】図２は、本発明の実施形態に係る滑りねじ装置のナット部分の縦断面図である。
【図３】図３（Ａ）は、本発明の実施形態に係るナット加工用切削工具の外観図である。図３（Ｂ）は、その横断面図である。
【図４】図４は、本発明の実施形態に係るナット加工用切削工具の変形例を示す外観図である。
【図５】図５（Ａ）は、本発明の実施形態に係るナット加工方法の下穴加工を示す図である。図５（Ｂ）は、ねじ加工を示す図である。図５（Ｃ）は、ねじ加工後の状態を示す図である。
【発明を実施するための形態】
【００２６】
以下、本発明の実施形態に係る滑りねじ装置のナット加工用切削工具及びナット加工方法を図面に基づき詳細に説明する。
【００２７】
図１は、本発明の実施形態に係るナット加工用切削工具１（図３参照）を用いて加工したナット１０を備える滑りねじ装置１００の概略構造を示す透視図である。
【００２８】
滑りねじ装置１００は、回転運動を直線運動に変換する動力伝達装置であり、例えば、製造装置等の一般的な機械装置において直動送り手段として用いられるものである。図１に示すように、滑りねじ装置１００は、外周にねじが形成されたねじ軸２０と、ねじ軸２０に螺合するナット１０と、を備える。
【００２９】
ねじ軸２０は、外周に雄ねじ２１が形成された駆動軸である。滑りねじ装置１００を利用する状態において、ねじ軸２０は、該両端部付近を図示しない軸受手段により回転自在に支持され、該一端にカップリング（図示せず）等を介して駆動源となるモータ（図示せず）等が接続される。
【００３０】
尚、ねじ軸２０は、例えば、構造用炭素鋼やクロムモリブデン鋼等の鋼材からなり、その雄ねじ２１の表面は、高周波焼入れや浸炭焼入れ等により硬化処理されている。
【００３１】
ナット１０は、ねじ軸２０に回転自在に螺合して伝達装置の従動体となるものである。滑りねじ装置１００を利用する状態において、ナット１０には、必要に応じて図示しないブラケット等を介して、従動部品（例えば、工作機械のテーブル等）が固定される。
【００３２】
以上の構成において、図示しないモータ等でねじ軸１０を回転駆動すると、ナット１０がねじ軸１０の軸方向に移動し、前述の従動部品を直線的に移動させることができる。
【００３３】
尚、本実施形態では、ナット１０の材質として、例えば、アルミニウム等の金属材料を用いている。金属材料は、合成樹脂材料に比べると、高強度で耐摩耗性、放熱性に優れているので、ナット１０の材質としてアルミニウムを採用することにより、滑りねじ装置１００は、高い伝達動力と効率を発揮することができる。これにより、滑りねじ装置１００を比較的高負荷で高速度が要求される用途に利用することができるようになる。
【００３４】
図２は、滑りねじ装置１００のナット１０とねじ軸２０との螺合部分の構造を示す図であり、ナット１０を縦断面で、ねじ軸２０を外観で示している。
【００３５】
図２に示すように、ねじ軸２０の外周２２には、雄ねじ２１が形成されている。具体的には、略円柱状のねじ軸２０の側面である外周２２には、断面略円弧状で螺旋状に延在する谷部２３が形成されている。更に詳しくは、谷部２３の断面形状は、略半円状である。谷部２３は、雄ねじ２１の谷に相当する部分であり、所定のピッチ、リード、条数で形成される。
【００３６】
谷部２３が形成された後の外周２２は、ねじ軸２０の径方向に突出し螺旋状に延在し、雄ねじの山に相当する部分となる。前述の通り、外周２２は、略円柱状のねじ軸２０の外周面であるので、軸方向断面形状において、雄ねじ２１の山である外周２２は、ねじ軸に平行で直線状になっている。
このように、ねじ軸２０の外周面には、谷部２３と外周２２とによって雄ねじ２１が形成され、該雄ねじ２１は、ナット１０の雌ねじ１１と螺合する。
【００３７】
他方、ナット１０の内周面には、後述する加工方法によって、雌ねじ１１が形成されている。具体的には、雌ねじ１１は、山部１３と谷部１２とによって構成される。
【００３８】
雌ねじ１１の谷部１２は、雄ねじ２１の外周２２に対応する形状であり、軸方向断面において、雌ねじ１１の中心軸に平行な直線状の形態を成している。そして、谷部１２は、ナット１０の略円筒状の内周面に沿って螺旋状に延在している。雌ねじ１１の谷部１２は、雄ねじ２１の外周２２と当接し、これにより、ナット１０は、ねじ軸２０に回転自在に支持される。
【００３９】
雌ねじ１１の山部１３は、ナット１０の内周面、即ち谷部１２が形成される面から内径側に突出しており、略円弧状の断面形状で螺旋状に形成されている。更に詳しくは、山部１３は、断面略半円状に形成されている。雌ねじ１１の山部１３は、雄ネジ２０の谷部２３に対応した形状をしており、谷部２３に当接して、ねじ軸２０の回転運動をナット１０の軸方向の動きへと変換して伝える。
尚、ナット１０には、ナット１０を図示しないブラケット等へ固定するためのフランジ１４や、その他図示しない固定用のねじ穴等を形成しても良い。
【００４０】
また、本実施形態に係るねじ軸２０は、ボールねじ装置のねじ軸として用いることも可能である。即ち、ねじ軸２０には、ナット１０の山部１３に対応する断面略半円状の谷部２３が形成されているので、該谷部２３をボール転動溝として利用することができる。これにより、滑りねじ装置１００のねじ軸２０と、ボールねじ装置のねじ軸とを共通化することができ、ねじ軸２０の製造コストを削減できる。また、滑りねじ装置またはボールねじ装置を用途に応じて適宜選定して利用することができるようになる。
【００４１】
図３（Ａ）は、ナット加工用切削工具１の切削部４付近の概略形状を示す外観図である。図３（Ｂ）は、ナット加工用切削工具１の横断面図（図３（Ａ）におけるＡ−Ａ線断面図）である。
【００４２】
ナット加工用切削工具１は、ナット１０（図２参照）の内周面に雌ねじ１１（図２参照）を切削加工するための工具である。図３（Ａ）及び（Ｂ）に示すように、ナット加工用切削工具１は、略円柱状の切削部４を有し、該切削部４の外周面２には、断面略円弧状で螺旋状に延在する凹溝３が形成されている。
【００４３】
外周面２の凹溝３に挟まれた部分は、軸方向断面がナット加工用切削工具１の軸に対して平行な直線状の形状であり、径方向に突出し、螺旋状に延在している。当該外周面２がナット１０の谷部１２（図２参照）を切削する刃となる。更に詳しくは、後述する排出溝５と外周面２とが交わるエッジ部が谷部１２を切削する刃部２ａとなる。
【００４４】
凹溝３は、断面略半円状の凹みであり、切削部４の外周面２に沿って螺旋状に形成されている。そして、凹溝３は、ナット１０の山部１３（図２参照）を切削する刃となる。具体的には、排出溝５と凹溝３とが交わるエッジ部が山部１３を切削する刃部３ａとなる。更に詳しくは、凹溝３の刃部３ａは、断面略半円状に凹んだ凹溝３の底部まで全てが山部１３を切削するための刃となっている。これにより、ナット１０には、凹溝３の形状に対応した（略同一形状の）断面略半円状の山部１３が切削形成される。
【００４５】
ここで、凹溝３の底部の径ｄｃは、ナット１０の下穴１９（図５参照）の径Ｄｈよりも大きい。換言すれば、雌ねじ１１を加工する際には、凹溝３の底部の径ｄｃよりも小さな径Ｄｈの下穴１９を加工することになる。これにより、ナット１０の山部１３を、先端部（内径側端部）まで切削して、凹溝３の形状に対応させて断面略半円状に高精度に形成することができる。
【００４６】
また、切削部４の先端７付近のテーパ部６は、先端７に向かって徐々に外径が小さくなるようテーパ状に形成されている。これにより、ナット加工用切削工具１を下穴１９へ挿入する作業を容易に行うことができると共に、切削加工開始時の切削抵抗を減らして、良好な加工面を形成することができる。
【００４７】
また、図３（Ｂ）に示すように、ナット加工用切削工具１の切削部４には、切屑を排出するための排出溝５が形成されている。排出溝５は、外周面２から横断面略円弧状に形成された溝であり、ナット加工用切削工具１の軸方向に延在し、少なくとも先端７方向が開口している。排出溝５を設けることにより、切削時の切屑を外部に排出することができ、切屑の詰まりや噛み込みを防止することができる。尚、排出溝５の断面形状は、円弧状に限らず、種々の形状を採用し得る。また、排出溝５を螺旋状に形成しても良い。詳細は、具体例を挙げて後述する。
【００４８】
尚、ナット加工用切削工具１の材質としては、特に限定されるものではないが、例えば、タングステンカーバイトを主成分とする超硬合金や高速度工具鋼等を利用することができる。
【００４９】
次に、図４を参照して、ナット加工用切削工具１の変形例について説明する。この変形例では、排出溝５の形状を螺旋状にしている。この点が既に説明した実施形態との相違点である。
【００５０】
図４は、ナット加工用切削工具１の切削部４付近の概略形状を示す外観図である。同図において、既に説明した実施形態と同一若しくは同様の作用効果を奏する構成要素については、同一の符号で示している。
【００５１】
図４に示すように、この変形例では、排出溝５を直線状ではなく、螺旋状にしている。詳しくは、排出溝５を、凹溝３とは逆向きの螺旋状にしている。これにより、凹溝３と排出溝５とが交わる角度が大きくなり、凹溝３の刃部３ａ及び外周部２の刃部２ａが切削に適した形状に近づく。その結果、ナット加工用切削工具１の切削性が向上し、高精度な雌ねじ加工が可能となる。
【００５２】
ここで、良好な切削性能を発揮するために、排出溝５と凹溝３とが交わる角度は、大きい方が好ましい。最も好ましくは、排出溝５と凹溝３は、互いに略直交するよう形成されるのが良い。
【００５３】
一般に、滑りねじ装置１００（図１参照）のような伝達装置用のねじは、一般的な締結用のねじに比べると、リード（ピッチ×条数）が大きいので、その加工が困難である。本発明のナット加工用切削工具１によれば、前述のように排出溝５を凹溝３とは逆向きの螺旋状にして、排出溝５と凹溝３とが交わる角度を大きくしているので、優れた切削性を発揮し、雌ねじ１１（図２参照）の加工を容易に行うことができる。
【００５４】
また、雌ねじ１１のリード、即ち凹溝３のリードは、滑りねじ装置１００の使用目的に応じて種々の好適な値に設定される。そこで、凹溝３のリード（またはリード角）に応じて排出溝５のリード（またはリード角）を好適に設定することもできる。具体的には、凹溝３のリード（リード角）が大きいときは、排出溝５のリード（リード角）を小さくする。これにより、様々な寸法の雌ねじ１１に対して、夫々好適な条件で切削を行うことが可能なナット加工用切削工具１を提供することができる。
【００５５】
次に、図５を参照して、本実施形態に係るナット加工方法、特に、雌ねじ１１の加工方法について説明する。
【００５６】
図５（Ａ）ないし（Ｃ）は、ナット加工方法を示す図である。図５（Ａ）は、下穴１９の加工を示し、図５（Ｂ）は、雌ねじ１１の加工を示し、図５（Ｃ）は、雌ねじ１１を加工した後の状態を示している。
【００５７】
本実施形態に係るナット加工方法では、少なくとも、ナット１０の素材１０ａに下穴１９を加工する工程と、下穴１９にナット加工用切削工具１を相対回転させて挿入しナット１０の素材１０ｂの内周面に雌ねじ１１を加工する工程と、雌ねじ１１が加工された素材１０ｃの前記内周面を硬化処理する工程と、を具備する。
【００５８】
先ず、図５（Ａ）に示すように、ナット１０の素材１０ａを準備し、ドリルＸにより下穴１９を加工する。これにより、図５（Ｂ）に示す如く、素材１０ａを貫通する下穴１９が形成される。
【００５９】
次に、図５（Ｂ）に示すように、下穴１９が形成された素材１０ｂの該下穴１９にナット加工用切削工具１の切削部４を挿入する。そして、ナット加工用切削工具１を素材１０ｂに対して所定の回転速度で相対回転させることにより、図５（Ｃ）に示す如く、雌ねじ１１を切削加工する。
即ち、素材１０ｂの内周面に、ナット加工用切削工具１の外周面２で雌ねじ１１の谷部１２を切削形成し、凹溝３で山部１３を切削形成する。
【００６０】
ここで、前述の通り、下穴１９の径Ｄｈは、ナット加工用切削工具１の凹溝３の底部の径ｄｃよりも小さく形成されている。これにより、ナット１０の内周面に、凹溝３の形状に対応して断面略半円状に突出する山部１３を高精度に加工することができる。
【００６１】
また、凹溝３は螺旋状に形成されているので、ナット加工用切削工具１を素材１０ｂに対して相対回転させることにより、ナット加工用切削工具１を下穴１９の軸方向に送ることができる。そのため、ナット加工用切削工具１を軸方向へ送るための押圧力は比較的小さくて良いので、ナット製造装置（ねじ切り装置）を小型化できる。
【００６２】
また、ナット加工用切削工具１を用いれば、ナット加工用切削工具１の回転速度を好適に制御することにより、雌ねじ１１の加工面を滑らかに且つ高精度に加工することができる。そのため、ナット加工用切削工具１を下穴１９に回転挿入する工程を一回のみ実行することにより、高精度な雌ねじ１１を形成することができる。
【００６３】
これにより、雌ねじ１１を切削形成した後の研削仕上げ加工を行う必要がなくなり、ナット加工における工程削減により、ナット１０の製造コストを削減することができる。
【００６４】
尚、ナット加工用切削工具１を下穴１９に回転挿入して雌ねじ１１を切削加工した後は、ナット加工用切削工具１を逆回転させることにより、雌ねじ１１から容易に引き抜くことができる。
【００６５】
次に、図５（Ｃ）の如く、雌ねじ１１が加工された後の素材１０ｃの少なくとも雌ねじ１１について表面硬化処理を施す。具体的には、アルミニウム材からなる素材１０ｃの表面に陽極酸化被膜を形成する。これにより、雌ねじ１１の耐摩耗性を向上させることができる。尚、ナット１０全体に対して表面硬化処理を実施しても勿論構わない。
【００６６】
以上説明の如く、本発明のナット加工用切削工具１によれば、ナット１０の内周面に高精度且つ高強度な雌ねじ１１を効率良く形成することができる。
【００６７】
尚、本発明は、上記実施形態に限定されるものではなく、その他、本発明の要旨を逸脱しない範囲で、種々の変更実施が可能である。
【符号の説明】
【００６８】
１        ナット加工用切削工具
２        外周面
３        凹溝
４        切削部
５        排出溝
１０      ナット
１１      雌ねじ
１２      谷部
１３      山部
１９      下穴
２０      ねじ軸
２１      雄ねじ
２２      外周（山部）
２３      谷部
１００    滑りねじ装置
ｄｃ      凹溝の底部の径
Ｄｈ      下穴の径
【要約】
滑りねじ装置のナットの内周面に高精度、高強度且つ低コストに雌ねじを加工することができるナット加工用切削工具及びナット加工方法を提供する。
ナット加工用切削工具（１）は、円柱状の切削部（４）と、該切削部（４）の外周面（２）に螺旋状に形成された凹溝（３）と、を有し、凹溝（３）は、ナット（１０）の内周面に凹溝（３）の形状に対応する雌ねじ（１１）の山部（１３）を切削成形する。これにより、滑りねじ装置（１００）のナット（１０）の内周面に高精度、高強度且つ低コストに雌ねじ（１１）を加工することができる。【図１】
0005686395.tif 000002
【図２】
0005686395.tif 000003
【図３】
0005686395.tif 000004
【図４】
0005686395.tif 000005
【図５】
0005686395.tif 000006